(57)【要約】      （修正有）【課題】清算済み商品を入れ替える際に買い物カゴを使用せず、簡単に単体で自立した状態で設置でき、しかも簡単に携帯可能な折りたたみ式収納容器を提供する。【解決手段】Ｘ字状に枢結された一対の杆部材２で前後左右の４つの側枠を形成し、隣接するそれぞれの側枠の杆部材の上端及び下端が、連結部材５に枢着されることで折り畳み自在に形成されたフレームと、フレーム内に装備され、その上端がフレームに取付けられた袋体８と、フレーム上部とフレーム下部とを連結自在に支持することで、開放状態を支持可能とする房部７とにより構成される。折り畳んだ状態を維持可能なバンド部材６を袋体に設けてもよい。【選択図】図２
0003184574.tif 000002
【実用新案登録請求の範囲】
【請求項１】
Ｘ字状に枢結された一対の杆部材（２）で前後左右の４つの側枠（３）を形成し、隣接するそれぞれの側枠（３）の杆部材（２）の上端及び下端が、連結部材（５）に枢着されることで折り畳み自在に形成されたフレームと、
フレーム内に装備され、その上端がフレームに取付けられた袋体（８）と、
フレーム上部とフレーム下部とを連結自在に支持することで、開放状態を支持可能とする房部（７）と、
により成る折畳み式収納容器。
【請求項２】
折り畳んだ状態を維持可能なバンド部材（６）を袋体（８）に設けた請求項1に記載の折畳み式収納容器。
【考案の詳細な説明】
【技術分野】
【０００１】
本考案は、折りたたみ可能なフレーム内部に袋を設置した、折りたたみ式収納容器に関し、より詳しくは、スーパーマーケット等に備え付けられる店内用買い物カゴの替わりに単体で設置可能な、折りたたみ式収納容器に関するものである。
【背景技術】
【０００２】
スーパーマーケット等で買い物をする際には、店舗備え付けの買い物カゴに商品を入れ、商品を入れた買い物カゴをレジに持参し、レジにて精算を受けることになる。レジ精算時には、買い物カゴに入れられた購入商品の金額を機械で読み取りながら、別の買い物カゴに入れ替えられ、レジ袋が合わせて付与される。次いで、購入者は別の買い物カゴに入れ替えられた商品を、商品詰替え用に用意された机に持参し、レジ袋に入れ替え、持ち帰るものである。
【０００３】
上記のように配布されるレジ袋を、環境保護の観点から不要とするために、エコバッグと称される袋を買い物客自身が持参し、当該エコバッグを買い物カゴに設置し、レジで直接エコバッグに商品を詰め替えてもらうことがある。
【０００４】
前記いわゆるエコバッグに関する先行技術として、特許文献１には買物かごの内面に沿わせて装着しうる形状に形成された収納部と、この収納部から連続し、該かご装着時に買物かごの周壁上端縁から外側に折り返される折り返し部とを備え、折り返し部の先端周縁に紐通し部が設けられた収納容器が開示されている。
【０００５】
特許文献２には、折りたたみ可能な軽量コンテナに把手を設けた収納容器が開示されている。
【先行技術文献】
【特許文献】
【０００６】
【特許文献１】特開２００４−７８４号公報
【特許文献２】特開２００９−２５９７８５号公報
【考案の概要】
【考案が解決しようとする課題】
【０００７】
上記エコバッグの問題点は、買い物カゴ内に設置する手間が発生し、更には設置した際に、自立せず開口部が開きにくく、しいてはレジ担当者が購入品の詰め替えがしづらいということがある。
【０００８】
そこで本考案は買い物カゴを使用せずに単体で自立した状態で設置でき、しかも簡単に携帯可能な折りたたみ式収納容器を提供することを目的とする。
【課題を解決するための手段】
【０００９】
上記の目的を達成する本考案の構成は次の通りである。
【００１０】
（１）  請求項１に記載の考案は、Ｘ字状に枢結された一対の杆部材で前後左右の４つの側枠を形成し、隣接するそれぞれの側枠の杆部材の上端及び下端が、連結部材に枢着されることで折り畳み自在に形成されたフレームと、フレーム内に装備され、その上端がフレームに取付けられた袋体と、フレーム上部とフレーム下部とを連結自在に支持することで、開放状態を支持可能とする房部とにより構成される。
【００１１】
（２）  請求項２に記載の考案は、請求項１に記載の折畳み式収納容器において、折り畳んだ状態を維持可能なバンド部材を袋体に設けて構成した。
【考案の効果】
【００１２】
上記のように構成される本考案が、如何に作用して課題を解決するかを図面を参照しながら概説する。
【００１３】
本考案は図１乃至図３に示すように、Ｘ字状に枢結された一対の杆部材２で、前後左右の４つの側枠３を形成してある。図中背面側、左側面側側枠は図示されないが、同一の側枠３が備えられている。側枠３を構成する一対の杆部材２，２は枢軸２ａにより軸支されており、しかも、隣接するそれぞれの側枠３の杆部材２の上端及び下端が、連結部材５に枢着されていることから、図４に示すように、フレームしいては収納容器１自体を折り畳むことが可能となるのである。しかも、折畳んだ状態でバンド部材６により緊締維持が可能であり、つまりは小さく折り畳んだ状態を維持でき、しかも房部７がストラップ代わりになり、容易に携帯可能となるのである。
【００１４】
また、図３に示すようにフレームを広げた状態で、房部７によりフレーム上部とフレーム下部とを連結支持すれば、杆部材２の回動が抑制され、フレームが折畳み不可となる。かかる状態では開口部が大きく開いた自立状態が維持され、購入商品の詰替えが容易に行えるものである。しかも、ペットボトル等重量のある商品を収納してもフレームが畳まれることがなく、つまりは開口状態が維持され、商品収納の利便性が維持されるものである。
【図面の簡単な説明】
【００１５】
【図１】本考案の正面図
【図２】同、斜視図
【図３】自立状態を維持した形態を示す斜視図
【図４】折り畳んだ状態を示す正面図
【図５】連結部材の概略説明図
【考案を実施するための形態】
【００１６】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１７】
本考案にかかる折畳み式収納容器１は、杆部材２と連結部材５で形成されるフレーム内に、袋体８を装備して構成される。
【００１８】
側枠２を構成するフレームは、２本の杆部材２，２を、その交差部位で枢軸２ａにより軸支し、Ｘ字状に枢結してある。図１では正面側の側枠２のみ表示されるが、左右側面側、背面側も同様の側枠２で形成される。
【００１９】
隣接する側枠２，２同士は、杆部材２の上端同士及び下端同士が連結部材５により枢支されることで一体化されている。図５は連結部材５における杆部材２の枢支状態を示す説明図である。連結部材５には直行する２つの溝部５ａが形成されており、杆部材２が緩挿されている。杆部材２は枢軸５ｂにより連結部材５に枢結されている。
【００２０】
側枠３で形成される直方体形状のフレーム内には、袋体８が装備される。袋体８は連結部材５に取付けられている。取付方法は接着、鋲着、その他任意の方法を採用できる。袋体上部には把手８ａを取り付ければ使い勝手に富むものとなる。
【００２１】
房部７は、同一垂線上に存する連結部材５，５間に渡り、設けられるものである。房部７はベルト状であり、その先端にはバックルの雌部材７ａが取付けられている。一方連結部材５には、バックルの雄部材７ｂが取付けられており、雌部材７ａに差し込むことで房部７が上下の連結部材５，５に渡り張設されるものである。なお、バックルの雄部材７ｂを房部７の先端に取り付け、雌部材７ａを連結部材５に取り付けても構わない。また、バックルを用いず、フックや面状ファスナ等で代用しても構わない。要は房部７が上下の連結部材５，５間に渡り張設されればよく、房部７の長さは上下の連結部材５，５間の長さ程度に設定する必要がある。容器を広げた状態で、内屈防止の役割を果たさせるためである。
【００２２】
袋体８の側面にはバンド部材６が取付けられている。バンド部材６には雄型のフック６ａと雌型のフック６ｂが取付けられており、図４に示すように折畳んだ状態のフレームに巻回し、フック同士を嵌めこむことで緊縛可能なものである。なお、緊縛可能であればフックによらずとも、面状ファスナ等でも代用可能なものである。
【産業上の利用可能性】
【００２３】
袋体の材質に耐水性素材を用いることで緊急用バケツとしての使用も可能であり、災害時の緊急対応も可能となる。
【符号の説明】
【００２４】
１・・収納容器
２・・杆部材
３・・側枠
５・・連結部材
６・・バンド部材
７・・房部
８・・袋体
【図１】
0003184574.tif 000003
【図２】
0003184574.tif 000004
【図３】
0003184574.tif 000005
【図４】
0003184574.tif 000006
【図５】
0003184574.tif 000007